(57)【要約】【課題】無機質な景観を回復させる受圧板を提供する。【解決手段】本発明は、地盤内に埋設された抗体と係合し、地盤の法面を補強する受圧板１であって、受圧板本体２と、受圧板本体２の表面に固着された天然石３とを備え、受圧板本体２の略中央には、地盤内に埋設された軸部材４が貫通する孔２ａが設けられており、軸部材４を孔２ａに挿通して、軸部材４を締結部材５で締結することで、地盤の方面を補強する受圧板である。【選択図】図１
2017218858.tif 000002
【特許請求の範囲】
【請求項１】
地盤内に埋設された抗体と係合し、地盤の法面を補強する受圧板であって、
受圧板本体と、
前記受圧板本体の表面に固着された天然石と、を備え、
前記受圧板本体の略中央には、前記地盤内に埋設された軸部材が貫通する孔が設けられており、前記軸部材を前記孔に挿通して、前記軸部材を締結部材で締結することで、前記地盤の方面を補強する
受圧板。
【請求項２】
地盤内に埋設された抗体と係合し、地盤の法面を補強する受圧板であって、
周縁に突出壁を設けた受圧板本体と、
前記受圧板本体に接合される基板パネルと、を備え、
前記基板パネルの表面には天然石が固着されており、
前記受圧板本体及び前記基板パネルの略中央には、前記地盤内に埋設された軸部材が貫通する孔が設けられており、前記軸部材を前記孔に挿通して、前記軸部材を締結部材で締結することで、前記地盤の方面を補強する
受圧板。
【請求項３】
前記天然石は、多孔質天然石である
請求項１又は請求項２に記載の受圧板。
【請求項４】
前多孔質天然石は、溶岩片と溶岩礫である
請求項３に記載の受圧板。
【請求項５】
地盤内に埋設された抗体と係合し、地盤の法面を補強する受圧板であって、
受圧板本体と、
前記受圧板本体の平面よりも広い平面を有し、前記受圧板本体の表面に積層された補助パネルと、を備え、
前記受圧板本体及び前記補助パネルの略中央には、前記地盤内に埋設された軸部材が貫通する孔が設けられており、前記軸部材を前記孔に挿通して、前記軸部材を締結部材で締結することで、前記地盤の方面を補強する
受圧板。
【請求項６】
前記補助パネルの表面には天然石が固着されている
請求項５に記載の受圧板。
【請求項７】
前記補助パネルの表面は所定の色彩又は模様により塗装されている
請求項５に記載の受圧板。
【発明の詳細な説明】
【技術分野】
【０００１】
本発明は、無機質なコンクリート壁等の景観を向上させる受圧板に関する。
【背景技術】
【０００２】
近年、日本は地震や台風、火山噴火等の災害が多く、国や県などの自治体が、無機質なコンクリート壁などの設計施工を進めているが、知識人や海外旅行者などから、日本は自然国でありながら景観を破壊するような施工を進めているとの指摘がある。これらは、景観を損ねるだけでなく、生態系を壊す原因ともなることから、社会問題となっており、改善が求められている。そして、改善のために、例えばコンクリート壁に、無機質な景観を回復させるべく、擬石風コンクリート張りブロックが施工されている。
【０００３】
一方、傾斜面の補強について、地山傾斜面の景観を良くしつつ、アンカー工法用受圧板を設置することもなされている（特許文献１参照）。同文献では、受圧板の設置底板部に設けた開口から土壌内に根が伸張しやすいようにし、草木の育成を助長させている。
【先行技術文献】
【特許文献】
【０００４】
【特許文献１】特開２００２−３４８８７８号公報
【発明の概要】
【発明が解決しようとする課題】
【０００５】
しかしながら、特許文献１の受圧板は、強度の弱い地山に対するアンカー工法用受圧板の提案にすぎず、コンクリート壁面補強用の受圧板について、設置後の景観を回復させるものは、従来技術では存在していなかった。
【０００６】
本発明は、上記課題に鑑みてなされたものであり、強度を補強しつつ、無機質な景観を回復させる受圧板を提供することを目的とする。
【課題を解決するための手段】
【０００７】
上記課題を解決するために、本発明の第１の態様に係る受圧板は、地盤内に埋設された抗体と係合し、地盤の法面を補強する受圧板であって、受圧板本体と、前記受圧板本体の表面に固着された天然石と、を備え、前記受圧板本体の略中央には、前記地盤内に埋設された軸部材が貫通する孔が設けられており、前記軸部材を前記孔に挿通して、前記軸部材を締結部材で締結することで、前記地盤の方面を補強する。
【０００８】
本発明の第２の態様に係る受圧板は、地盤内に埋設された抗体と係合し、地盤の法面を補強する受圧板であって、周縁に突出壁を設けた受圧板本体と、前記受圧板本体に接合される基板パネルとを備え、前記基板パネルの表面には天然石が固着されており、前記受圧板本体及び前記基板パネルの略中央には、前記地盤内に埋設された軸部材が貫通する孔が設けられており、前記軸部材を前記孔に挿通して、前記軸部材を締結部材で締結することで、前記地盤の方面を補強する。
【０００９】
本発明の第３の態様に係る受圧板は、第１又は第２の態様において、前記天然石は、多孔質天然石である。
【００１０】
本発明の第４の態様に係る受圧板は、第３の態様において、前多孔質天然石は、溶岩片と溶岩礫である。
【００１１】
本発明の第５の態様に係る受圧板は、地盤内に埋設された抗体と係合し、地盤の法面を補強する受圧板であって、受圧板本体と、前記受圧板本体の平面よりも広い平面を有し、前記受圧板本体の表面に積層された補助パネルとを備え、前記受圧板本体及び前記補助パネルの略中央には、前記地盤内に埋設された軸部材が貫通する孔が設けられており、前記軸部材を前記孔に挿通して、前記軸部材を締結部材で締結することで、前記地盤の方面を補強する。
【００１２】
本発明の第６の態様に係る受圧板は、第５の態様において、前記補助パネルの表面には天然石が固着されている。
【００１３】
本発明の第７の態様に係る受圧板は、第５の態様において、前記補助パネルの表面は所定の色彩又は模様により塗装されている。
【発明の効果】
【００１４】
本発明によれば、無機質な景観を回復させる受圧板を提供することができる。
【図面の簡単な説明】
【００１５】
【図１】本発明の第１実施形態に係る受圧板の構成図である。
【図３】本発明の第２実施形態に係る受圧板の構成図である。
【図４】本発明の第３実施形態に係る受圧板の構成図である。
【図５】本発明の第４実施形態に係る受圧板の構成図である。
【図２】本発明の第４実施形態に係る受圧板を施工した様子を示す図である。
【発明を実施するための形態】
【００１６】
以下、図面を参照しつつ本発明の実施形態について説明する。
【００１７】
＜第１実施形態＞
【００１８】
図１には本発明の第１実施形態に係る受圧板の構成を示し説明する。より詳細には、図１（ａ）は受圧板の断面図、図１（ｂ）は受圧板の平面図を示している。
【００１９】
これらの図に示されるように、受圧板１は、地盤内に埋設された軸部材４と係合し地盤の法面を補強するものであって、受圧板本体２を備えている。受圧板本体２の表面には天然石３が固着されている。より具体的には、この実施形態では、天然石としての多孔質天然石をスライスした溶岩片３ａと破砕した溶岩礫３ｂとが固着されている。受圧板本体２は、ＦＲＰ（FRP；Fiber Reinforced Plastics）等の樹脂で構成されているが、コンクリート製であってもよいことは勿論である。
【００２０】
受圧板本体２の略中央には、地盤内に埋設された軸部材４が貫通する孔２ａが設けられており、軸部材４を孔２ａに挿通して、軸部材４を締結部材５で締結することで地盤の法面を補強する。そして、景観を向上させるために、この締結部材５を覆い隠すように蓋部材６を嵌合させて位置固定させる。蓋部材６の表面にも多孔質天然石を固着するようにしてもよいことは勿論である。
【００２１】
以上説明したように、本発明の第１実施形態によれば、受圧板の平面を天然石により装飾することができるので、美しい景観を作り上げることができる。
【００２２】
＜第２実施形態＞
【００２３】
図２には本発明の第２実施形態に係る受圧板の構成を示し説明する。より詳細には、図２（ａ）は受圧板の断面図、図２（ｂ）は受圧板の平面図を示している。
【００２４】
これらの図に示されるように、受圧板１１は、地盤内に埋設された軸部材１４と係合し地盤の法面を補強するものであって、受圧板本体１２と、受圧板本体１２の表面に接着剤等で固定される基板パネル１３とを備えている。基板パネル１３の表面には天然石１７が固着されている。より具体的には、この例では、ＦＲＰ等からなる基板パネル１３の表面上に天然石１７としての多孔質天然石をスライスした溶岩片１７ａ、及び多孔質天然石を微細に破砕した溶岩礫１７ｂが配設されている。
【００２５】
受圧板本体１２及び基板パネル１３の略中央には、地盤内に埋設された軸部材１４が貫通する孔１２ａが設けられており、軸部材１４を孔１２ａに挿通して軸部材１４を締結部材１５で締結することで地盤の法面を補強する。そして、景観を向上させるために、この締結部材１５を覆い隠すように蓋部材１６を嵌合させて位置固定させる。蓋部材１６の表面にも多孔質天然石を固着するようにしてもよいことは勿論である。
【００２６】
基板パネル１３は、表面全体が溶岩片と溶岩礫で被覆されているが、溶岩片等による層の厚みは最大で２０ｍｍ程度と薄いので、全体として軽量化が実現される。溶岩片は多孔質の性質を有するので、パネル表面に凹凸と隙間が生じ、シダ類、コケ類、つる性植物類等を生育できる。昆虫類等の移動も可能である。
【００２７】
基板パネル１３に用いられる「溶岩」としては、インドネシナ、中国、フィリピン等各国のものを採用することができる。また、三宅島、大島、富士山、浅間山で採取されたものを用いることができる。三宅島、大島、富士山で採取される溶岩は、いずれも玄武岩質のものであるが、三宅島や大島で採取される溶岩は、噴火により空気中を飛散した後に固まったものであるから、細かい孔が複数空いている多孔質である。一方、富士山で採取される溶岩は、溶岩流として流れた後に固まったものであることから、孔が少ないが、その反面、細かい粉砕が可能である。
【００２８】
このような溶岩は、多孔質であることから、小動物、微生物などの棲息環境となる（生態系の保全、回復効果）。さらに、無機質な構造物が適度に緑化し年数の経過と共にさらに周囲と調和する（景観、修景効果）。また、苔、地比類やツタ類などの育成する土壌になる（緑化効果）。さらに、多孔質であることから、湿潤性、水際においては保水、水浄化作用が期待できる（湿潤性、水浄化効果）。さらに、多孔質な構造により音を吸収することができる（吸音効果）。また、溶岩の細かな凹凸が光反射を防止し、また極微小な空隙は熱遮断効果もある（光反射防止効果）。また、溶岩からはマイナスイオンが発生している（マイナスイオン効果）。さらに、表面が多孔質で凹凸があるため落書きができない（落書き防止効果）。そして、貼付により構造物表面の劣化を防ぐことができる（構造物面の保護）。このほか、大きな根を張る空間は生まれないため植物が大きくは育たず維持管理を最小限に抑えることができる（低コストの維持管理費）。各実施形態は、溶岩を採用しているので、上記効果はそのまま各実施形態も備えることになる。
【００２９】
また、多孔質天然石として、前述したような溶岩を用いることで、明度を６以下とすることができる。ここで、「明度」については、平成２６年４月に「美しい山河を守る災害復旧基本方針」が改訂されており、護岸ブロックの明度の目安（６以下）と明度計測方法が記載された。しかし、普段扱わない計測機器等も使用するため、実際に明度を計測する際に混乱が生じることが懸念されたので、（公社）全国土木コンクリートブロック協会は、中小河川でよく用いられる積ブロックに関する明度計測方法等の指導と明度解析および明度測定結果について証明書の作成を行い、護岸ブロックの平均明度計測方法の普及に努めている。そして、ブロック素材そのものが明度６以下である場合は、目地を含めた平均明度を測定しなくても明度６以下とみなすことが考えられている。
【００３０】
パネル基板１３の上に、溶岩片に加えて人工植物を配設してもよい。人工植物としては人工苔、人工芝、人工シダ等が採用され、それらは溶岩と調和した景観を生む。この人工植物としては、プラスチック系生成物、繊維系生成物、本来の自然植物を乾燥処理して着色した生成物等を採用できる。繊維系生成物や視線植物系生成物は、パネル本体に植物が育成したら劣化するので、植物育成までの促進補助剤として有効に活用する。また、雨や散水により表面に水分が保持され、溶岩片を配したパネル基板に溶岩礫を更に固着した場合に溶岩片や溶岩礫の渇きを遅くできるので、植物の育成にも効果的である。また、景観的にも、本来の植物が育成するまでの間、見た目のイメージを向上できる。
【００３１】
以上説明したように、本発明の第２実施形態によれば、受圧板の平面を天然石により装飾することができるので、美しい景観を作り上げることができる。しかも、基板パネルは受圧板本体の設置後に装着することができるので、施工も容易であり、作業負担が軽減されている。
【００３２】
＜第３実施形態＞
【００３３】
図３には本発明の第３実施形態に係る受圧板の構成を示し説明する。より詳細には、図３（ａ）は受圧板の断面図、図３（ｂ）は受圧板の平面図を示している。
【００３４】
これらの図に示されるように、受圧板２１は、地盤内に埋設された軸部材２４と係合し地盤の法面を補強するものであって、受圧板本体２２を備えている。そして、受圧板本体２２の表面には天然石２３が固着されている。この例では、受圧板本体２２の周縁に突起壁２２ｂが形成されており、該突起壁２２ｂに軸部材２７を挿通させナット２８で締結することで天然石２３を固定している。
【００３５】
受圧板本体２２の略中央には、地盤内に埋設された軸部材２４が貫通する孔２２ａが設けられている。軸部材２４を孔２２ａに挿通して、軸部材２４を締結部材２５で締結することで、地盤の法面を補強する。尚、天然石２３には、略中央部に孔２３ａが開けられており、締結部材２５は該孔２３ａに収まるようになっている。そして、景観を向上させるために、この締結部材２５を覆い隠すように蓋部材２６を嵌合させて位置固定させる。蓋部材２６の表面に天然石をスライスしたものを固着するようにしてもよい。
【００３６】
施工に際しては、先ず地盤の法面に対向させるように受圧板本体２２を設置し、その後に多孔質天然石２３を位置決めして、軸部材２７を挿通させた後、ナット２８で締結することで装着すればよい。
【００３７】
以上説明したように、本発明の第３実施形態によれば、受圧板の平面を天然石により装飾することができるので、美しい景観を作り上げることができる。しかも、天然石は受圧板本体の設置後に装着することができるので、施工が容易であると共に、左右上下の受圧板との関係で装着する天然石を適宜選択し、景観を調整し、バランスをとることも可能である。
【００３８】
＜第４実施形態＞
【００３９】
図４には本発明の第４実施形態に係る受圧板の構成を示し説明する。より詳細には、図４（ａ）は受圧板の断面図、図４（ｂ）は受圧板の平面図を示している。
【００４０】
これらの図に示されるように、受圧板３１は、地盤内に埋設された軸部材３４と係合し、地盤の法面を補強するものであって、受圧板本体３２と、受圧板本体３２の平面よりも広い平面を有し受圧板本体３２の表面に積層された補助パネル３３とを備えている。そして、受圧板本体３２及び補助パネル３３の略中央には、地盤内に埋設された軸部材３４が貫通する孔３２ａが設けられており、軸部材３４を孔３２ａに挿通して、軸部材３４を締結部材３５で締結することで地盤の法面を補強する。
【００４１】
補助パネル３３は、ＦＲＰ等からなる樹脂製のパネルであってよい。受圧板本体２もＦＲＰなどで構成されている。補助パネル３３は、矩形形状に限定されず、種々の平面形状とすることが可能である。また、補助パネル３３は、樹脂製であることから、地盤への装着後に、一部を切断して所望の形状となるように調整することも可能である。尚、補助パネル３３の表面に天然石を固着したり、環境にマッチした色彩又は模様を付するように塗装してもよいことは勿論である。
【００４２】
ここで、図５には本発明の第４実施形態に係る受圧板３１を複数併設した様子を示している。より詳細には、図５（ａ）は４枚の受圧板３１Ａから３１Ｄを併設した様子を示す平面図であり、図５（ｂ）は図５（ａ）の断面Ａ−Ａ’の様子を示す断面図である。
【００４３】
これらの図に示されるように、受圧板本体３２同士の間には、所定の間隔が開けられているものの、補助パネル３３は該受圧板本体３２の平面よりも大きい平面とすることができ、しかも多種多様な形状とすることができるので、平面から見たときに、地盤が露呈する領域を少なくすることができると共に、ランダムは配列の景観を実現できる。
【００４４】
以上説明したように、本発明の第４実施形態によれば、補助パネルを施工前後で切断することで平面形状を調整することができるので、多種多様な景観を作り上げることにも寄与する。しかも、受圧板本体部分は、しっかりと地盤を受圧するので、受圧板本来の機能も何ら損なわれることもない。
【００４５】
本発明の実施形態によれば、例えば、以下の効果も奏される。
【００４６】
即ち、受圧板において、天然石として多孔質天然石を用いる場合には、その多孔質環境は吸放湿性や断熱性に優れているため、夏は炎天下の照り返しや湿度を和らげ、冬は乾燥を防止し、所謂ヒートアイランド現象の緩和に貢献する。
【００４７】
さらに、受圧板において、天然石のうち、特に多孔質天然石を活用する場合には、透水性、通気性、保水性に優れるため、動植物の生息や生育に必要な環境を確保できる。
【００４８】
また、受圧板において、天然石のうち特に多孔質天然石を用いる場合には、多孔質天然石が吸着作用に優れているので、微生物の餌場、それを利用する生物の生息空間が形成され、徐々に生物を誘致できる。また、微生物の働きによって吸着物質が分解され、施工現場周辺の水質浄化作用が期待できる。
【符号の説明】
【００４９】
１…受圧板、２…受圧板本体、３…天然石、４…軸部材、５…締結部材、６…蓋部材、１１…受圧板、１２…受圧板本体、１３…基板パネル、１４…軸部材、１５…締結部材、１６…蓋部材、２１…受圧板、２２…受圧板本体、２３…天然石、２４…軸部材、２５…締結部材、２６…蓋部材、２７…軸部材、２８…ナット、３１…受圧板、３２…受圧板本体、３３…補助パネル、３４…軸部材、３５…締結部材。
【図１】
2017218858.tif 000003
【図２】
2017218858.tif 000004
【図３】
2017218858.tif 000005
【図４】
2017218858.tif 000006
【図５】
2017218858.tif 000007